(57)【要約】【課題】反射表示及び透過表示のいずれの表示モードであっても、消費電力量を良好に抑制する【解決手段】液晶ディスプレイ２０は、異なる色の光をそれぞれ選択反射するコレステリック液晶表示素子１７，１８，１９と、表示用データを与える駆動回路２２と、外部環境の明暗の移行を検知する光検知部２３と、光検知部２３の検出結果に基づいて、プレーナ状態であるコレステリック液晶表示素子１７，１８，１９の画素がフォーカルコニック状態に、また、フォーカルコニック状態であるコレステリック液晶表示素子１７，１８，１９の画素がプレーナ状態にそれぞれ遷移するように駆動回路２２を制御する制御回路２４と、を備える。【選択図】図３
2009103821.tif 000002
【特許請求の範囲】
【請求項１】
異なる色の光をそれぞれ選択反射するコレステリック液晶表示素子と、
前記コレステリック液晶表示素子に表示用データを与える駆動部と、
外部環境の明から暗への移行及び暗から明への移行を検知する光検知部と、
前記光検知部の検出結果に基づいて、プレーナ状態である前記コレステリック液晶表示素子の画素がフォーカルコニック状態に、また、フォーカルコニック状態である前記コレステリック液晶表示素子の画素がプレーナ状態にそれぞれ遷移するように前記駆動部を制御する制御部と、
を備えた液晶ディスプレイ。
【請求項２】
異なる色の光をそれぞれ選択反射するコレステリック液晶表示素子と、
前記コレステリック液晶表示素子に表示用データを与える駆動部と、
日時をカウントする時計部と、外部環境の明から暗への移行日時と暗から明への移行日時を記憶する記憶部と、前記時計部でカウントされている日時と前記記憶部に記憶されている移行日時とを比較して判定結果を出力する比較判定部と、を備えるカウンタ部と、
前記カウンタ部の判定結果に基づいて、プレーナ状態である前記コレステリック液晶表示素子の画素がフォーカルコニック状態に、また、フォーカルコニック状態である前記コレステリック液晶表示素子の画素がプレーナ状態にそれぞれ遷移するように前記駆動部を制御する制御部と、
を備えた液晶ディスプレイ。
【請求項３】
請求項１又は２に記載された液晶ディスプレイにおいて、
前記コレステリック液晶表示素子の表示データを記憶する表示データ記憶部をさらに備えた液晶ディスプレイ。
【請求項４】
請求項１から３のいずれか１項に記載の液晶ディスプレイにおける表示方法であって、
プレーナ状態である前記コレステリック液晶表示素子の画素がフォーカルコニック状態に、また、フォーカルコニック状態である前記コレステリック液晶表示素子の画素がプレーナ状態にそれぞれ遷移するように前記駆動部を制御する第１ステップと、
前記第１ステップで前記駆動部を制御することにより生成された表示用データを前記コレステリック液晶表示素子に表示する第２ステップと、
を備えた表示方法。
【請求項５】
請求項４に記載された表示方法において、
前記第１ステップにおける画素の状態に対応する表示モード情報を前記コレステリック液晶表示素子に表示する第３ステップをさらに備えた表示方法。
【請求項６】
請求項５に記載された表示方法において、
前記液晶ディスプレイの前記表示モード情報が表示される部位に所定の入力操作を行うことで、プレーナ状態である前記コレステリック液晶表示素子の画素がフォーカルコニック状態に、また、フォーカルコニック状態である前記コレステリック液晶表示素子の画素がプレーナ状態にそれぞれ遷移するように前記駆動部を制御する第４ステップと、
前記第４ステップで前記駆動部を制御することにより生成された表示用データを前記コレステリック液晶表示素子に表示する第５ステップと、
をさらに備えた表示方法。
【請求項７】
請求項４から６のいずれか１項に記載された表示方法をコンピュータに実行させるための表示プログラム。
【請求項８】
請求項７に記載された表示プログラムを記憶したコンピュータ読取可能な記憶媒体。
【発明の詳細な説明】
【技術分野】
【０００１】
本発明は、液晶ディスプレイ、表示方法、表示プログラム及び記憶媒体に関する。
【背景技術】
【０００２】
反射型による表示と透過型による表示とを行うことが可能なメモリー性液晶ディスプレイに関する技術が、例えば、特許文献１に開示されている。特許文献１に開示された従来のメモリー性液晶ディスプレイは、図１０に示すように、透明電極８１及び８３の間に液晶層８２が配置される液晶表示器８４を備えている。透明電極８１の表示面側には、吸収型カラーフィルタ８５と、吸収型カラーフィルタ８５を指示するカラーフィルタ基板８６、位相差板８７、偏光板８８および光散乱板８９が配置されている。透明電極８３の背面側には、透過反射層であるコレステリック液晶層９０、ＴＦＴ基板９１、位相差板９２および偏光板９３が配置されている。偏光板９３のさらに外部には照明装置９４が配置される。
【０００３】
次に、反射型として用いる場合のメモリー性液晶ディスプレイの表示態様を説明する。図１０のカラーフィルタ基板８６上には、シアン、マゼンタおよびイエローの３色の光を透過する吸収型カラーフィルタ８５が形成されている。吸収型カラーフィルタ８５のうち、シアンの光を透過する吸収型カラーフィルタ８５Ｃから入るシアン色の光は、ＴＦＴ基板の青の光を反射し、それ以外の色の光は透過するコレステリック液晶層９０Ｂによって、青色光となって出射される。マゼンタの光を透過する吸収型カラーフィルタ８５Ｍから入るマゼンタ色の光は、赤の光を反射し、それ以外の色の光は透過するコレステリック液晶層９０Ｒによって、赤色光となって出射される。イエローの光を透過する吸収型カラーフィルタ８５Ｙから入るイエロー色の光は、緑の光を反射し、それ以外の色の光は透過するコレステリック液晶層９０Ｇによって、緑色光となって出射される。このように、メモリー性液晶ディスプレイは、反射型でＲＧＢの表示が可能となる。
【０００４】
さらに、透過型として用いる場合のメモリー性液晶ディスプレイの表示態様を説明する。青の光を反射してそれ以外の色の光は透過するコレステリック液晶層９０Ｂを透過したイエローの光は、シアンの光を透過する吸収型カラーフィルタ８５Ｃを通過する際に緑色光が選択されて出射される。赤の光を反射してそれ以外の色の光は透過するコレステリック液晶層９０Ｒを透過するシアンの光は、マゼンタの色の光を透過する吸収型カラーフィルタ８５Ｍを通過する際に、青色光が選択されて出射される。緑の色の光を反射してそれ以外の反射の光は透過するコレステリック液晶層９０Ｇを透過するマゼンタの光は、イエローの色の光を透過する吸収型カラーフィルタ８５Ｙを通過する際に、赤色光が選択されて出射される。このように、メモリー性液晶ディスプレイは、透過型でＲＧＢの表示が可能となる。
【０００５】
上述のように、特許文献１に開示されたようなメモリー性液晶ディスプレイを用いることにより、反射表示のみならず透過表示が可能となる。
【特許文献１】特開２０００−２７５６３１号公報
【発明の開示】
【発明が解決しようとする課題】
【０００６】
しかしながら、上述のメモリー性液晶ディスプレイは、反射表示及び透過表示のいずれの場合においても、液晶表示器８４を駆動させなければならない。また、印加電圧をオフにしても所望の表示を持続するプレーナ状態でコレステリック液晶層９０を使用しているが、メモリー性液晶ディスプレイとしての消費電力の低減は困難であった。
【０００７】
本発明は上記の課題を鑑みてなされたものであり、その目的とするところは、反射表示及び透過表示のいずれの表示モードであっても、消費電力量を良好に抑制する液晶ディスプレイ、表示方法、表示プログラム及び記憶媒体を提供することである。
【課題を解決するための手段】
【０００８】
本発明に係る液晶ディスプレイは、異なる色の光をそれぞれ選択反射するコレステリック液晶表示素子と、コレステリック液晶表示素子に表示用データを与える駆動部と、外部環境の明から暗への移行及び暗から明への移行を検知する光検知部と、光検知部の検出結果に基づいて、プレーナ状態であるコレステリック液晶表示素子の画素がフォーカルコニック状態に、また、フォーカルコニック状態であるコレステリック液晶表示素子の画素がプレーナ状態にそれぞれ遷移するように駆動部を制御する制御部と、を備えたことを特徴とする。
【０００９】
このような構成によれば、反射表示及び透過表示を行う場合、コレステリック液晶表示素子の画素は印加電圧をオフにしても所望の状態を持続するプレーナ状態又はフォーカルコニック状態となっている。このため、消費電力量を良好に抑制することができる。
【００１０】
また、本発明に係る液晶ディスプレイは、異なる色の光をそれぞれ選択反射するコレステリック液晶表示素子と、コレステリック液晶表示素子に表示用データを与える駆動部と、日時をカウントする時計部と、外部環境の明から暗への移行日時と暗から明への移行日時を記憶する記憶部と、時計部でカウントされている日時と記憶部に記憶されている移行日時とを比較して判定結果を出力する比較判定部と、を備えるカウンタ部と、カウンタ部の判定結果に基づいて、プレーナ状態であるコレステリック液晶表示素子の画素がフォーカルコニック状態に、また、フォーカルコニック状態であるコレステリック液晶表示素子の画素がプレーナ状態にそれぞれ遷移するように駆動部を制御する制御部と、を備えたことを特徴とする。
【００１１】
このような構成によれば、反射表示及び透過表示を行う場合、コレステリック液晶層の画素は印加電圧をオフにしても所望の状態を持続するプレーナ状態又はフォーカルコニック状態となっている。このため、消費電力量を良好に抑制することができる。
【００１２】
また、本発明に係るディスプレイは、コレステリック液晶表示素子の表示データを記憶する表示データ記憶部をさらに備えてもよい。
【００１３】
このような構成によれば、ディスプレイに備わる表示データ記憶部が記憶する表示データを基に、反射表示と透過表示のそれぞれに適した制御を行うことが可能となる。このため、ディスプレイの外部より表示データを読み込む必要がなくなり、反射表示と透過表示との切替をスムーズに行うことが可能となる。
【００１４】
本発明に係る表示方法は、上述の液晶ディスプレイにおける表示方法であって、プレーナ状態であるコレステリック液晶表示素子の画素がフォーカルコニック状態に、また、フォーカルコニック状態であるコレステリック液晶表示素子の画素がプレーナ状態にそれぞれ遷移するように駆動部を制御する第１ステップと、第１ステップで駆動部を制御することにより生成された表示用データをコレステリック液晶表示素子に表示する第２ステップと、を備えたことを特徴とする。さらに、本発明に係る表示プログラムは、前記表示方法をコンピュータに実行させるためのものであり、本発明に係るコンピュータ読取可能な記憶媒体は、当該表示プログラムを記憶したものである。
【００１５】
このような構成によれば、コレステリック液晶層の画素は印加電圧をオフにしても所望の状態を持続するプレーナ状態又はフォーカルコニック状態となっている。このため、消費電力量を良好に抑制することができる。
【００１６】
また、本発明に係る表示方法は、第１ステップにおける画素の状態に対応する表示モード情報をコレステリック液晶表示素子に表示する第３ステップをさらに備えてもよい。さらに、本発明に係る表示プログラムは、前記表示方法をコンピュータに実行させるためのものであってもよく、本発明に係るコンピュータ読取可能な記憶媒体は、当該表示プログラムを記憶したものであってもよい。
【００１７】
このような構成によれば、現在のディスプレイの表示状態が反射表示又は透過表示のいずれであるのかを容易に判別することができる。
【００１８】
また、本発明に係る表示方法は、液晶ディスプレイの表示モード情報が表示される部位に所定の入力操作を行うことで、プレーナ状態であるコレステリック液晶表示素子の画素がフォーカルコニック状態に、また、フォーカルコニック状態であるコレステリック液晶表示素子の画素がプレーナ状態にそれぞれ遷移するように駆動部を制御する第４ステップと、第４ステップで駆動部を制御することにより生成された表示用データをコレステリック液晶表示素子に表示する第５ステップと、をさらに備えてもよい。さらに、本発明に係る表示プログラムは、前記表示方法をコンピュータに実行させるためのものであってもよく、本発明に係るコンピュータ読取可能な記憶媒体は、当該表示プログラムを記憶したものであってもよい。
【００１９】
このような構成によれば、ディスプレイの表示状態をユーザーが任意に設定でき、利便性が向上する。
【発明の効果】
【００２０】
本発明によれば、反射表示及び透過表示のいずれの表示モードであっても、消費電力量を良好に抑制する液晶ディスプレイ、表示方法、表示プログラム及び記憶媒体を提供することができる。
【発明を実施するための最良の形態】
【００２１】
以下、本発明の実施形態について図を用いて詳細に説明するが、本発明はこれらに限定されるものではない。
【００２２】
（第１の実施形態）
本発明の第１の実施形態を、図を用いて詳細に説明する。
【００２３】
図１，２に示すように、本実施形態に係る液晶ディスプレイ２０は、外部環境の明から暗への移行と暗から明への移行を検知する光検知部２３と、青色用、緑色用、赤色用の各コレステリック液晶表示素子１７，１８，１９と、コレステリック液晶表示素子１７，１８，１９に光を照射する光源１６と、コレステリック液晶表示素子１７上に設けられた入力インターフェイス３０と、を備える表示装置２１と、表示装置２１に表示用データを与える駆動回路（駆動部）２２と、光検知部２３の検出結果に基づいて、プレーナ状態であるコレステリック液晶表示素子１７，１８，１９の画素がフォーカルコニック状態に、また、フォーカルコニック状態である画素がプレーナ状態にそれぞれ遷移するように駆動回路２２を制御する制御回路（制御部）２４と、を備えている。
【００２４】
表示装置２１の構成を、図２に基づいて説明する。表示装置２１は、表示面側から順に積層された、Ｂ（青）色光を選択的に反射可能な青色用コレステリック液晶表示素子１７と、Ｇ（緑）色光を選択的に反射可能な緑色用コレステリック液晶表示素子１８と、Ｒ（赤）色光を選択的に反射可能な赤色用コレステリック液晶表示素子１９と、を備えている。
【００２５】
青色用コレステリック液晶表示素子１７は、図示しないスペーサを介して互いに対向する上側透明基板１及び下側透明基板５と、上側透明基板１にストライプ状に形成された上側電極２と、下側透明基板５にストライプ状に形成された下側電極４、上側及び下側透明基板１，５の間に挟持された、青色光を選択的に反射可能なコレステリック液晶３とを備えている。緑色用コレステリック液晶表示素子１８及び赤色用コレステリック液晶表示素子１９についても、青色用コレステリック液晶表示素子１７と同様の構成となっており、それぞれ図示しないスペーサを介して互いに対向する上側透明基板６，１１及び下側透明基板１０，１５と、上側透明基板６，１１にストライプ状に形成された上側電極７，１２と、下側透明基板１０，１５にストライプ状に形成された下側電極９，１４と、を備えている。また、緑色用コレステリック液晶表示素子１８には、上側及び下側透明基板６，１０の間に挟持された、緑色光を選択的に反射可能なコレステリック液晶８が設けられている。赤色用コレステリック液晶表示素子１９には、上側及び下側透明基板１１，１５の間に挟持された、赤色光を選択的に反射可能なコレステリック液晶１３が設けられている。
【００２６】
光源１６は、赤色用コレステリック液晶表示素子１９の下側の透明基板１５に対向するように配置されている。光源１６としては、ＬＥＤ、蛍光管、ＥＬ又は蓄光板の少なくとも一つで構成することができる。
【００２７】
＜表示モード＞
次に、液晶ディスプレイ２０の表示モードについて図を用いて詳細に説明する。
【００２８】
液晶ディスプレイ２０は、太陽光や照明光など外部環境より照射される光を用いて表示を行う反射表示モードと、光源１６より照射される光を用いて表示を行う透過表示モードと、を備えている。反射表示モードでカラー表示を行う原理を図３に示す。
【００２９】
反射表示モードの液晶ディスプレイ２０で赤色を表示する場合、青色用コレステリック液晶表示素子１７と緑色用コレステリック液晶表示素子１８とはフォーカルコニック状態となり、赤色用コレステリック液晶表示素子１９のみプレーナ状態となる。液晶ディスプレイ２０に照射される太陽光又は照明光は、図３（ａ）に示すように、フォーカルコニック状態の青色用コレステリック液晶表示素子１７及び緑色用コレステリック液晶表示素子１８を透過し、赤色用コレステリック液晶表示素子１９でのみ選択的に反射されるため、液晶ディスプレイ２０は赤色に表示される。
【００３０】
反射表示モードの液晶ディスプレイ２０で緑色を表示する場合、青色用コレステリック液晶表示素子１７と赤色用コレステリック液晶表示素子１９とはフォーカルコニック状態となり、緑色用コレステリック液晶表示素子１８のみプレーナ状態となる。液晶ディスプレイ２０に照射される太陽光又は照明光は、図３（ｂ）に示すように、フォーカルコニック状態の青色用コレステリック液晶表示素子１７を透過し、緑色用コレステリック液晶表示素子１８でのみ選択的に反射されるため、液晶ディスプレイ２０は緑色に表示される。
【００３１】
反射表示モードの液晶ディスプレイ２０で青色を表示する場合、緑色用コレステリック液晶表示素子１８と赤色用コレステリック液晶表示素子１９とはフォーカルコニック状態となり、青色用コレステリック液晶表示素子１７のみプレーナ状態となる。液晶ディスプレイ２０に照射される太陽光又は照明光は、図３（ｃ）に示すように、青色用コレステリック液晶表示素子１７でのみ選択的に反射されるため、液晶ディスプレイ２０は青色に表示される。
【００３２】
反射表示モードの液晶ディスプレイ２０で白色を表示する場合、３層のコレステリック液晶表示素子すべてがプレーナ状態となる。液晶ディスプレイ２０に照射される太陽光又は照明光は、青色用コレステリック液晶表示素子１７で青色の光が選択的に反射され、緑色用コレステリック液晶表示素子１８で緑色の光が選択的に反射され、赤色用コレステリック液晶表示素子１９で赤色の光が選択的に反射されるため、液晶ディスプレイ２０は白色に表示される。
【００３３】
反射表示モードの液晶ディスプレイ２０でシアン色を表示する場合、赤色用コレステリック液晶表示素子１９はフォーカルコニック状態となり、青色用コレステリック液晶表示素子１７と緑色用コレステリック液晶表示素子１８とはプレーナ状態となる。液晶ディスプレイ２０に照射される太陽光又は照明光は、図３（ｄ）に示すように、青色用コレステリック液晶表示素子１７で青色の光が選択的に反射される。反射されず透過した光のうち緑色用コレステリック液晶表示素子１８で緑色の光が選択的に反射されるため、液晶ディスプレイ２０はシアン色に表示される。
【００３４】
反射表示モードの液晶ディスプレイ２０でイエロー色を表示する場合、青色用コレステリック液晶表示素子１７はフォーカルコニック状態となり、緑色用コレステリック液晶表示素子１８と赤色用コレステリック液晶表示素子１９とはプレーナ状態となる。液晶ディスプレイ２０に照射される太陽光又は照明光は、図３（ｅ）に示すように、青色用コレステリック液晶表示素子１７を透過し、緑色用コレステリック液晶表示素子１８で緑色の光が選択的に反射される。さらに、反射されず透過した光は赤色用コレステリック液晶表示素子１９を照射し、赤色の光が選択的に反射される。このため、液晶ディスプレイ２０はイエロー色に表示される。
【００３５】
反射表示モードの液晶ディスプレイ２０でマゼンタ色を表示する場合、緑色用コレステリック液晶表示素子１８はフォーカルコニック状態となり、青色用コレステリック液晶表示素子１７と赤色用コレステリック液晶表示素子１９とはプレーナ状態となる。液晶ディスプレイ２０に照射される太陽光又は照明光は、図３（ｆ）に示すように、青色用コレステリック液晶表示素子１７で青色の光が選択的に反射され、さらに反射されず透過した光は緑色用コレステリック液晶表示素子１８も透過し、赤色用コレステリック液晶表示素子１９に照射される。赤色用コレステリック液晶表示素子１９では赤色の光が選択的に反射されるため、液晶ディスプレイ２０はマゼンタ色に表示される。
【００３６】
次に、透過表示モードでカラー表示を行う原理を図４に示す。透過表示モードの液晶ディスプレイ２０で赤色を表示する場合、青色用コレステリック液晶表示素子１７と緑色用コレステリック液晶表示素子１８とはプレーナ状態となり、赤色用コレステリック液晶表示素子１９のみフォーカルコニック状態となる。光源１６からの白色光は、図４（ａ）に示すように、緑色用コレステリック液晶表示素子１８で緑色の光が光源１６側に選択的に反射され、次に反射されず透過した光は、青色用コレステリック液晶表示素子１７で青色の光が光源１６側に選択的に反射される。反射されず青色用コレステリック液晶表示素子１７を透過した光により液晶ディスプレイ２０は赤色に表示される。
【００３７】
透過表示モードの液晶ディスプレイ２０で緑色を表示する場合、青色用コレステリック液晶表示素子１７と赤色用コレステリック液晶表示素子１９とはプレーナ状態となり、緑色用コレステリック液晶表示素子１８のみフォーカルコニック状態となる。光源１６からの白色光は、図４（ｂ）に示すように、赤色用コレステリック液晶表示素子１９で赤色の光が光源１６側に選択的に反射され、次に反射されず透過した光は緑色用コレステリック液晶表示素子１８を透過し、青色用コレステリック液晶表示素子１７で青色の光が光源１６側に選択的に反射される。反射されず青色用コレステリック液晶表示素子１７を透過した光により液晶ディスプレイ２０は緑色に表示される。
【００３８】
透過表示モードの液晶ディスプレイ２０で青色を表示する場合、緑色用コレステリック液晶表示素子１８と赤色用コレステリック液晶表示素子１９とはプレーナ状態となり、青色用コレステリック液晶表示素子１７のみフォーカルコニック状態となる。光源１６からの白色光は、図４（ｃ）に示すように、赤色用コレステリック液晶表示素子１９で赤色の光が光源１６側に選択的に反射され、次に反射されず透過した光は、緑色用コレステリック液晶表示素子１８で緑色の光が光源１６側に選択的に反射される。次に反射されず透過した光は青色用コレステリック液晶表示素子１７を透過し液晶ディスプレイ２０は青色に表示される。
【００３９】
透過表示モードの液晶ディスプレイ２０で白色を表示する場合、３層のコレステリック液晶表示素子すべてがフォーカルコニック状態となる。このため、光源１６からの白色光は３層を透過し、液晶ディスプレイ２０は白色に表示される。
【００４０】
透過表示モードの液晶ディスプレイ２０でシアン色を表示する場合、赤色用コレステリック液晶表示素子１９はプレーナ状態となり、青色用コレステリック液晶表示素子１７と緑色用コレステリック液晶表示素子１８とがフォーカルコニック状態となる。光源１６からの白色光は、図４（ｄ）に示すように、赤色用コレステリック液晶表示素子１９で赤色の光が光源１６側に選択的に反射され、次に反射されず透過した光は緑色用コレステリック液晶表示素子１８と青色用コレステリック液晶表示素子１７を透過し、液晶ディスプレイ２０液晶素子はシアン色に表示される。
【００４１】
透過表示モードの液晶ディスプレイ２０でイエロー色を表示する場合、青色用コレステリック液晶表示素子１７はプレーナ状態となり、緑色用コレステリック液晶表示素子１８と赤色用コレステリック液晶表示素子１９とがフォーカルコニック状態となる。光源１６からの白色光は、図４（ｅ）に示すように、赤色用コレステリック液晶表示素子１９と緑色用コレステリック液晶表示素子１８を透過し、青色用コレステリック液晶表示素子１７で青色の光が光源１６側に選択的に反射される。このため、反射されず青色用コレステリック液晶表示素子１７を透過した光により液晶ディスプレイ２０はイエロー色に表示される。
【００４２】
透過表示モードの液晶ディスプレイ２０でマゼンタ色を表示する場合、緑色用コレステリック液晶表示素子１８はプレーナ状態となり、青色用コレステリック液晶表示素子１７と赤色用コレステリック液晶表示素子１９とがフォーカルコニック状態となる。光源１６からの白色光は、図４（ｆ）に示すように、赤色用コレステリック液晶表示素子１９を透過し、緑色用コレステリック液晶表示素子１８で緑色の光が光源１６側に選択的に反射され、反射されず透過した光が青色用コレステリック液晶表示素子１７を透過し、液晶ディスプレイ２０はマゼンタ色に表示される。
【００４３】
＜表示方法＞
次に、液晶ディスプレイ２０の表示方法を図を用いて詳細に説明する。
【００４４】
図５は、液晶ディスプレイ２０の表示制御フロー図である。液晶ディスプレイ２０の電源をＯＮにすると、光検知部２３は外部環境の明暗判定を行う（図５のＳ１）。この判定結果は光検知部２３より出力され、制御回路２４に入力される。外部環境が明状態の場合、液晶ディスプレイ２０の表示モードは反射表示モードとなるため、制御回路２４は駆動回路２２を制御し、表示装置２１に表示モード情報の表示が行われる（図５のＳ２）。図６（ａ）には、反射表示モードを示す表示モード情報が表示装置２１に表示される例を、図６（ｂ）には、透過表示モードを示す表示モード情報が表示装置２１に表示される例を示す。表示モード情報により、ユーザーは、液晶ディスプレイ２０の現在の表示モードを容易に判別することが可能となる。
【００４５】
表示装置２１は、タッチパネルを入力インターフェイス３０として備えることが可能である。表示装置２１に表示されている表示モード情報が表示される部位上の入力インターフェイス３０を操作（例えば、押圧又はタッチ）することにより、ユーザーは、液晶ディスプレイ２０の表示モードを強制的に変更することが可能である。制御回路２４で、ユーザーによる表示モード情報が表示される部位上の入力インターフェイス３０の操作が行われたか否かについて判定が行われる（図５のＳ３）。
【００４６】
ユーザーによる表示モード情報が表示される部位上の入力インターフェイス３０の操作が行われたとの判定が行われた場合、制御回路２４は表示モードの変更を行うため、駆動回路２２を制御する（図５のＳ４）。
【００４７】
表示装置２１に透過表示モードで表示されていた映像は、反射表示モードの表示に変更される。フォーカルコニック状態であった各コレステリック液晶表示素子の画素はプレーナ状態に遷移され、プレーナ状態であった各コレステリック液晶表示素子の画素はフォーカルコニック状態に遷移される。
【００４８】
表示装置２１に反射表示モードで表示されていた映像は、透過表示モードの表示に変更される。フォーカルコニック状態であった各コレステリック液晶表示素子の画素はプレーナ状態に遷移され、プレーナ状態であった各コレステリック液晶表示素子の画素はフォーカルコニック状態に遷移される。
【００４９】
反射表示モードに変更された場合は、反射表示モードを示す表示モード情報が表示装置２１に表示され、透過表示モードに変更された場合は、透過表示モードを示す表示モード情報が表示装置２１に表示されることになる（図５のＳ５）。ステップＳ５の実行後、ステップはＳ３に戻る。
【００５０】
ステップＳ３で、ユーザーによる表示モード情報が表示される部位上の入力インターフェイス３０への操作が行われず、未操作との判定が行われた場合、制御回路２４は、光検知部２３で外部環境の変化（明状態から暗状態への変化、又は暗状態から明状態への変化）が検出されたか否かについて判定を行う（図５のＳ６）。光検知部２３で外部環境の変化が検出されていない場合は、ステップＳ６の判定後、ステップはＳ３に戻る。
【００５１】
光検知部２３で外部環境の変化が検出された場合、現在の表示モードとの比較判定が制御回路２４で行われる（図５のＳ７）。外部環境の暗状態への変化が光検知部２３で検出された場合は、透過表示モードに変更する必要があるが、ユーザーによる表示モード情報が表示される部位上の入力インターフェイス３０の操作により、既に透過表示モードに変更されている場合（表示モードが一致している場合）、表示モードの変更と表示モード情報の変更を行わず、ステップはＳ３に戻る。同様に、外部環境の明状態への変化が光検知部２３で検出された場合は、反射表示モードに変更する必要があるが、ユーザーによる表示モード情報が表示される部位上の入力インターフェイス３０の操作により既に反射表示モードに変更されている場合（表示モードが一致している場合）、表示モードの変更と表示モード情報の変更を行わず、ステップはＳ３に戻る。
【００５２】
外部環境の変化が光検知部２３で検出された場合で、表示モード情報を変更する必要がある場合（不一致の場合）、制御回路２４は表示モードの変更を行うため、駆動回路２２を制御する（図５のＳ８）。
【００５３】
表示装置２１に透過表示モードで表示されていた映像は、反射表示モードの表示に変更される。フォーカルコニック状態であったそれぞれのコレステリック液晶表示素子の画素はプレーナ状態に遷移され、プレーナ状態であった各コレステリック液晶表示素子の画素はフォーカルコニック状態に遷移される。
【００５４】
表示装置２１に反射表示モードで表示されていた映像は、透過表示モードので表示に変更される。フォーカルコニック状態であったそれぞれのコレステリック液晶表示素子の画素はプレーナ状態に遷移され、プレーナ状態であった各コレステリック液晶表示素子の画素はフォーカルコニック状態に遷移される。
【００５５】
反射表示モードに変更された場合は、反射表示モードを示す表示モード情報が表示装置２１に表示され、透過表示モードに変更された場合は、透過表示モードを示す表示モード情報が表示装置２１に表示されることになる（図５のＳ９）。ステップＳ９の実行後、ステップはＳ３に戻る。
【００５６】
（第２の実施形態）
次に、本発明の第２の実施形態にかかる液晶ディスプレイ２６を、図を用いて詳細に説明する。ここでは、上述した第１の実施形態との相違点のみ詳細に説明し、同一の構成については同一の符号を付して、その説明を省略する。
【００５７】
図７に示すように、液晶ディスプレイ２６は、第１の実施形態で示した液晶ディスプレイ２０の構成において、図１の光検知部２３ではなく、カウンタ部２５を備えている。
【００５８】
カウンタ部２５は、月日と時刻（以下、日時）をカウントする時計部２５１と、外部環境が明から暗へ移行したと仮定する明暗移行日時と外部環境が暗から明へ移行したと仮定する暗明移行日時を記憶する記憶部２５２と、時計部２５１でカウントされている日時と前記記憶部に記憶されている明暗移行日時又は暗明移行日時とを比較し判定結果を出力する比較判定部２５３とを備えている。
【００５９】
時計部２５１でカウントされている日時が、記憶部２５２に記憶されている明暗移行日時以上になったか否かが比較判定部２５３で判定され、判定結果は制御回路２４へ入力される。外部環境が明から暗へ移行したと制御回路２４で判定されると、表示モードの変更が行われる。表示装置２１に反射表示モードで表示されていた映像は、透過表示モードの表示に変更される。フォーカルコニック状態であったそれぞれのコレステリック液晶表示素子の画素はプレーナ状態に遷移され、プレーナ状態であったそれぞれのコレステリック液晶表示素子の画素はフォーカルコニック状態に遷移される。
【００６０】
また、時計部２５１でカウントされている日時が記憶部２５２に記憶されている暗明移行日時以上になったか否かが比較判定部２５３で判定され、判定結果は制御回路２４へ入力される。外部環境が暗から明へ移行したと制御回路２４で判定されると、表示モードの変更が行われる。表示装置２１に透過表示モードで表示されていた映像は、反射表示モードの表示に変更される。フォーカルコニック状態であったそれぞれのコレステリック液晶表示素子の画素はプレーナ状態に遷移され、プレーナ状態であったそれぞれのコレステリック液晶表示素子の画素はフォーカルコニック状態に遷移される。
【００６１】
記憶部２５２に記憶される明暗移行日時と暗明移行日時として、春夏期と秋冬季とで調整した情報又は月別に調整した情報を記憶することで、自動的に表示モードの変更を実現することが可能となる。
【００６２】
次に、液晶ディスプレイ２６における表示方法を図を用いて詳細に説明する。
【００６３】
液晶ディスプレイ２６の電源をＯＮにすると、カウンタ部２５は外部環境の明暗判定を行う（図５のＳ１）。この判定結果はカウンタ部２５より出力され、制御回路２４に入力される。外部環境が明状態の場合、液晶ディスプレイ２６の表示モードは反射表示モードとなるため、制御回路２４は駆動回路２２を制御し、表示装置２１に表示モード情報の表示が行われる（図５のＳ２）。図６に表示モード情報の表示例を示す。
【００６４】
表示装置２１が入力インターフェイス３０を備えており、制御回路２４では、ユーザーによる表示モード情報が表示される部位上の入力インターフェイス３０の操作が行われたか否かについて判定が行われる（図５のＳ３）。
【００６５】
ユーザーによる表示モード情報が表示される部位上の入力インターフェイス３０の操作が行われたとの判定が行われた場合、制御回路２４は表示モードの変更を行うため、駆動回路２２を制御する（図５のＳ４）。
【００６６】
表示装置２１に透過表示モードで表示されていた映像は、反射表示モードの表示に変更される。フォーカルコニック状態であった各コレステリック液晶表示素子の画素はプレーナ状態に遷移され、プレーナ状態であった各コレステリック液晶表示素子の画素はフォーカルコニック状態に遷移される。
【００６７】
表示装置２１に反射表示モードで表示されていた映像は、透過表示モードの表示に変更される。フォーカルコニック状態であった各コレステリック液晶表示素子の画素はプレーナ状態に遷移され、プレーナ状態であった各コレステリック液晶表示素子の画素はフォーカルコニック状態に遷移される。
【００６８】
反射表示モードに変更された場合は、反射表示モードを示す表示モード情報が表示装置２１に表示され、透過表示モードに変更された場合は、透過表示モードを示す表示モード情報が表示装置２１に表示されることになる（図５のＳ５）。ステップＳ５の実行後、ステップはＳ３に戻る。
【００６９】
ステップＳ３で、ユーザーによる表示モード情報が表示される部位上の入力インターフェイス３０への操作が行われていない未操作との判定が行われた場合、制御回路２４は、カウンタ部２５より出力された外部環境の変化（明状態から暗状態への変化、又は暗状態から明状態への変化）に関する出力結果について判定を行う（図５のＳ６）。カウンタ部２５で外部環境の変化が検出されていない場合は、ステップＳ６の判定後、ステップはＳ３に戻る。
【００７０】
カウンタ部２５で外部環境の変化が検出された場合、現在の表示モードとの比較判定が制御回路２４で行われる（図５のＳ７）。カウンタ部２５の出力結果をもとに外部環境の暗状態への変化が判定された場合は、透過表示モードに変更する必要があるが、ユーザーによる表示モード情報が表示される部位上の入力インターフェイス３０の操作により、既に透過表示モードに変更されている場合（表示モードが一致している場合）、表示モードの変更と表示モード情報の変更を行わず、ステップはＳ３に戻る。同様に、カウンタ部２５の出力結果をもとに外部環境の明状態への変化が判定された場合は、反射表示モードに変更する必要があるが、ユーザーによる表示モード情報が表示される部位上の入力インターフェイス３０の操作により、既に反射表示モードに変更されている場合（表示モードが一致している場合）、表示モードの変更と表示モード情報の変更を行わず、ステップはＳ３に戻る。
【００７１】
表示モード情報を変更する必要がある場合（不一致の場合）、制御回路２４は表示モードの変更を行うため、駆動回路２２を制御する（図５のＳ８）。
【００７２】
表示装置２１に透過表示モードで表示されていた映像は、反射表示モードの表示に変更される。フォーカルコニック状態であった各コレステリック液晶表示素子の画素はプレーナ状態に遷移され、プレーナ状態であった各コレステリック液晶表示素子の画素はフォーカルコニック状態に遷移される。
【００７３】
表示装置２１に反射表示モードで表示されていた映像は、透過表示モードの表示に変更される。フォーカルコニック状態であった各コレステリック液晶表示素子の画素はプレーナ状態に遷移され、プレーナ状態であった各コレステリック液晶表示素子の画素はフォーカルコニック状態に遷移される。
【００７４】
反射表示モードに変更された場合は、反射表示モードを示す表示モード情報が表示装置２１に表示され、透過表示モードに変更された場合は、透過表示モードを示す表示モード情報が表示装置２１に表示されることになる（図５のＳ９）。ステップＳ９の実行後、ステップはＳ３に戻る。
【００７５】
（第３の実施形態）
次に、本発明の第３の実施形態に係る液晶ディスプレイ２８を、図を用いて詳細に説明する。
【００７６】
図８に示すように、液晶ディスプレイ２８は、光検知部２３と、表示装置２１と、駆動回路２２と、制御回路２４と、を備えている。さらに液晶ディスプレイ２８は、透過表示モードに対応した表示用データ及び反射表示モードに対応した表示用データを記憶する記憶部２７を備えている。
【００７７】
液晶ディスプレイ２８の表示モードが、透過表示モードから反射表示モードに変更される場合、又は、反射表示モードから透過表示モードに変更される場合、記憶部２７に記憶されている表示データの読み出しが制御回路２４により行われる。次に、制御回路２４が駆動回路２２を制御し、変更後の表示モードでの表示が表示装置２１で行われる。
【００７８】
記憶部２７に記憶する表示データは、透過表示モードに対応した表示用データ及び反射表示モードに対応した表示用データのいずれか一方であってもよい。記憶部２７が透過表示モードに対応した表示用データのみを記憶している場合、反射表示モードで表示する際は、制御回路２４で表示データの変換が行われる。また、記憶部２７が反射表示モードに対応した表示用データのみを記憶している場合、透過表示モードで表示する際は、制御回路２４で表示データの変換が行われる。
【００７９】
（第４の実施形態）
次に、本発明の第４の実施形態に係る液晶ディスプレイ２９を、図を用いて詳細に説明する。
【００８０】
図９に示すように、液晶ディスプレイ２９は、カウンタ部２５、表示装置２１と、駆動回路２２と、制御回路２４と、を備えている。さらに液晶ディスプレイ２８は、透過表示モードに対応した表示用データ及び反射表示モードに対応した表示用データを記憶する記憶部２７（表示データ記憶部）を備えている。
【００８１】
液晶ディスプレイ２９の表示モードが、透過表示モードから反射表示モードに変更される場合、又は、反射表示モードから透過表示モードに変更される場合、記憶部２７に記憶されている表示データの読み出しが制御回路２４により行われる。次に、制御回路２４は駆動回路２２を制御し、変更後の表示モードでの表示が表示装置２１で行われる。
【００８２】
記憶部２７に記憶する表示データは、透過表示モードに対応した表示用データ及び反射表示モードに対応した表示用データのいずれか一方でもよい。記憶部２７が透過表示モードに対応した表示用データのみを記憶している場合、反射表示モードで表示する際は、制御回路２４で表示データの変換が行われる。また、記憶部２７が反射表示モードに対応した表示用データのみを記憶している場合、透過表示モードで表示する際は、制御回路２４で表示データの変換が行われる。
【００８３】
上述した各処理ステップは、ＣＰＵなどの演算手段（不図示）が、ＲＯＭやＲＡＭなどの記憶手段に記憶されたプログラムを実行し、液晶ディスプレイを制御することにより実現することができる。したがって、これらの手段を有するマイクロコンピュータが、上記プログラムを記録する情報記憶媒体を読み取り、当該プログラムを実行するだけで、本発明の各種機能および各種処理を実現することができる。また、上記プログラムをリムーバブルな記録媒体に記録することにより、任意のコンピュータ上で上記の各種機能および各種処理を実現することができる。
【００８４】
この記録媒体としては、マイクロコンピュータで処理を行うためにメモリ（不図示）、例えばＲＯＭのようなものがプログラムメディアであっても良いし、また、外部記憶媒体としてプログラム読取り装置（不図示）が設けられ、そこに記録媒体を挿入することにより読取りが可能となるプログラムメディアであっても良い。
【００８５】
また、何れの場合でも、格納されているプログラムは、マイクロプロセッサがアクセスして実行される構成であることが好ましい。さらに、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００８６】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【００８７】
また、インターネットを含む通信ネットワークを接続可能なシステム構成であれば、通信ネットワークからプログラムをダウンロードするように流動的にプログラムを担持する記録媒体であることが好ましい。
【００８８】
さらに、このように通信ネットワークからプログラムをダウンロードする場合には、そのダウンロード用のプログラムは予め本体装置に格納しておくか、あるいは別な記録媒体からインストールされるものであることが好ましい。
【００８９】
なお、本発明は上述した実施の形態に限定されるものではなく、請求項に示した範囲で種々の変更が可能であり、実施の形態に開示された技術的手段を適宜組み合わせて得られる実施形態についても本発明の技術的範囲に含まれる。
【００９０】
（作用効果）
次に、本実施形態に係る液晶ディスプレイの作用効果を説明する。
【００９１】
本発明に係る液晶ディスプレイ２０は、異なる色の光をそれぞれ選択反射するコレステリック液晶表示素子１７，１８，１９と、コレステリック液晶表示素子１７，１８，１９に表示用データを与える駆動回路２２と、外部環境の明から暗への移行及び暗から明への移行を検知する光検知部２３と、光検知部２３の検出結果に基づいて、プレーナ状態であるコレステリック液晶表示素子１７，１８，１９の画素がフォーカルコニック状態に、また、フォーカルコニック状態であるコレステリック液晶表示素子１７，１８，１９の画素がプレーナ状態にそれぞれ遷移するように駆動回路２２を制御する制御回路２４と、を備えたことを特徴とする。
【００９２】
このような構成によれば、反射表示及び透過表示を行う場合、コレステリック液晶表示素子１７，１８，１９の画素は印加電圧をオフにしても所望の状態を持続するプレーナ状態又はフォーカルコニック状態となっている。このため、消費電力量を良好に抑制することができる。
【産業上の利用可能性】
【００９３】
本発明の液晶ディスプレイ、表示方法、表示プログラム及び記憶媒体は、情報機器用液晶ディスプレイ、電子パーパー、ＴＶ、車や船舶等の操縦可能な移動体における液晶ディスプレイ、及び、その表示方法、表示プログラム及び記憶媒体等として広く利用可能である。
【図面の簡単な説明】
【００９４】
【図１】第１の実施形態に係る液晶ディスプレイの構成図である。
【図２】表示装置の断面図である。
【図３】反射状態でカラー表示を行う際の原理図である。
【図４】透過状態でカラー表示を行う際の原理図である。
【図５】液晶ディスプレイの表示制御フロー図である。
【図６】液晶ディスプレイにおける表示例の模式図である。
【図７】第２の実施形態に係る液晶ディスプレイの構成図である。
【図８】第３の実施形態に係る液晶ディスプレイの構成図である。
【図９】第４の実施形態に係る液晶ディスプレイの構成図である。
【図１０】従来の液晶ディスプレイの断面図である。
【符号の説明】
【００９５】
１７      青色用コレステリック液晶表示素子
１８      緑色用コレステリック液晶表示素子
１９      赤色用コレステリック液晶表示素子
２０，２６，２８，２９      液晶ディスプレイ
２１      表示装置
２２      駆動回路
２３      光検知部
２４      制御回路
２５      カウンタ部
２７      記憶部
３０      入力インターフェイス
２５１      時計部
２５２      記憶部
２５３      比較判定部
【図１】
2009103821.tif 000003
【図２】
2009103821.tif 000004
【図３】
2009103821.tif 000005
【図４】
2009103821.tif 000006
【図５】
2009103821.tif 000007
【図６】
2009103821.tif 000008
【図７】
2009103821.tif 000009
【図８】
2009103821.tif 000010
【図９】
2009103821.tif 000011
【図１０】
2009103821.tif 000012